(57)【要約】【課題】壁面への埋め込み設置が容易であり、取り外し後の壁面の原状回復作業も容易に行うことができる情報端末装置及びその設置方法を提供する。【解決手段】本発明の一形態に係る情報端末装置は、端末本体と、ベース部材とを具備する。  上記端末本体は、壁面に埋め込まれたスイッチボックス内の配線部材と電気的に接続可能に構成される。上記ベース部材は、スイッチボックスに取り付け可能に構成され、上記端末本体を支持する。【選択図】図３
2019101459.tif 000002
【特許請求の範囲】
【請求項１】
壁面に埋め込まれたスイッチボックス内の配線部材と電気的に接続可能に構成された端末本体と、
スイッチボックスに取り付け可能に構成され、前記端末本体を支持するベース部材と
を具備する情報端末装置。
【請求項２】
請求項１に記載の情報端末装置であって、
前記ベース部材は、スイッチボックスに対向する第１の主面と、前記端末本体に対向する第２の主面と、前記第１の主面と前記第２の主面との間を貫通しスイッチボックス内の配線部材が挿通可能なベース開口部と、を有するプレート部を含む
情報端末装置。
【請求項３】
請求項２に記載の情報端末装置であって、
前記端末本体は、スイッチボックス内の配線部材に電気的に接続される電気器具への給電及びその遮断を切り替えるリレー駆動部をさらに有する
情報端末装置。
【請求項４】
請求項３に記載の情報端末装置であって、
前記端末本体は、情報読取部と、前記情報読取部から取得される入力情報に基づいて前記リレー駆動部を切り替えることが可能な制御部とをさらに有する
情報端末装置。
【請求項５】
請求項２に記載の情報端末装置であって、
前記ベース部材は、前記プレート部に隣接して設けられ前記端末本体の周囲に配置される化粧パネル部をさらに有する
情報端末装置。
【請求項６】
請求項５に記載の情報端末装置であって、
前記化粧パネル部は、スイッチボックスに接続されるスイッチ本体が挿通可能なスイッチ開口部を有する
情報端末装置。
【請求項７】
請求項１〜６のいずれか１つに記載の情報端末装置であって、
前記端末本体は、出退勤時刻を記録することが可能な就業管理機能を有する管理装置である
情報端末装置。
【請求項８】
端末本体と、前記端末本体を支持するベース部材とを備えた情報端末装置の設置方法であって、
壁面に埋め込まれたスイッチボックスに前記ベース部材を固定し、
前記ベース部材に形成された開口部を介してスイッチボックス内の配線部材を端末本体に電気的に接続し、
前記端末本体を前記ベース部材に固定する
情報端末装置の設置方法。
【発明の詳細な説明】
【技術分野】
【０００１】
本発明は、例えば、壁面に埋め込み設置される情報端末装置及びその設置方法に関する。
【背景技術】
【０００２】
情報端末装置として、カード保有者の出勤や退勤を管理し、あるいは特別に管理された部屋等への入室を管理するために、建物や部屋のドアの近傍に設置される情報管理装置が知られている。この種の情報管理装置は、人の往来が多い場所においては通路の幅を狭めるような台座に載置されることは避けて、ドア近傍の壁面に埋め込み設置されることが多い。
【０００３】
例えば特許文献１には、カードリーダ全体の動作を制御する本体制御部と、送受信データの変復調を行う無線回路部と、これらを格納する筐体と、ＩＣカードとの通信を行うための交流磁界を発生するループアンテナと、筐体を壁に取り付けるための取付け枠と、この取付け枠の前面を覆う化粧パネルと、この化粧パネルを取付け枠に固定するためのベースとを有し、ループアンテナが化粧パネルと一体的に構成された非接触ＩＣカードリーダ装置が開示されている。
【先行技術文献】
【特許文献】
【０００４】
【特許文献１】特開２００７−１４１００９号公報
【発明の概要】
【発明が解決しようとする課題】
【０００５】
例えば賃貸オフィス等において、従業員の出勤や退勤とともにドアのロック解除を制御するような情報端末装置を室外の所謂共用スペースにおける壁面に埋め込み設置する場合には、当該壁面を加工する必要がある。この場合、賃貸契約の解除後は、加工した壁面を加工前の元の状態に戻す原状回復工事が必要となるため、この種の情報端末装置の導入が躊躇われる要因になっている。
【０００６】
以上のような事情に鑑み、本発明の目的は、壁面への埋め込み設置が容易であり、取り外し後の壁面の原状回復作業も容易に行うことができる情報端末装置及びその設置方法を提供することにある。
【課題を解決するための手段】
【０００７】
上記目的を達成するため、本発明の一形態に係る情報端末装置は、端末本体と、ベース部材とを具備する。
上記端末本体は、壁面に埋め込まれたスイッチボックス内の配線部材と電気的に接続可能に構成される。
上記ベース部材は、スイッチボックスに取り付け可能に構成され、上記端末本体を支持する。
【０００８】
上記ベース部材は、プレート部を含んでもよい。上記プレート部は、スイッチボックスに対向する第１の主面と、上記端末本体に対向する第２の主面と、上記第１の主面と上記第２の主面との間を貫通しスイッチボックス内の配線部材が挿通可能なベース開口部と、を有する。
【０００９】
上記端末本体は、スイッチボックス内の配線部材に電気的に接続される電気器具への給電及びその遮断を切り替えるリレー駆動部をさらに有してもよい。
【００１０】
上記端末本体は、情報読取部と、上記情報読取部から取得される入力情報に基づいて上記リレー駆動部を切り替えることが可能な制御部とをさらに有してもよい。
【００１１】
上記ベース部材は、化粧パネル部をさらに有してもよい。上記化粧パネル部は、上記プレート部に隣接して設けられ、上記端末本体の周囲に配置される。
【００１２】
上記化粧パネル部は、スイッチボックスに接続されるスイッチ本体が挿通可能なスイッチ開口部を有してもよい。
【００１３】
上記端末本体は、出退勤時刻を記録することが可能な就業管理機能を有する管理装置であってもよい。
【００１４】
本発明の一形態に係る情報端末装置の設置方法は、端末本体と、上記端末本体を支持するベース部材とを備えた情報端末装置の設置方法であって、
壁面に埋め込まれたスイッチボックスに上記ベース部材を固定し、
上記ベース部材に形成された開口部を介してスイッチボックス内の配線部材を端末本体に電気的に接続し、
上記端末本体を上記ベース部材に固定する。
【発明の効果】
【００１５】
以上述べたように、本発明によれば、壁面への埋め込み設置が容易であり、取り外し後の壁面の原状回復作業も容易に行うことができる。
【図面の簡単な説明】
【００１６】
【図１】本発明の第１の実施形態に係る情報端末装置の設置状態を示す説明図である。
【図２】上記情報端末装置の電気ブロック図である。
【図３】上記情報端末装置の要部の分解斜視図である。
【図４】上記情報端末装置の壁面への設置方法を説明する要部の分解側面図である。
【図５】上記情報端末装置の画面表示の説明図である。
【図６】上記情報端末装置の典型的な動作を説明するフローチャートである。
【図７】本発明の第２の実施形態に係る情報端末装置の壁面への設置状態を示す外観斜視図である。
【図８】上記情報端末装置の電気ブロック図である。
【図９】上記情報端末装置の要部の分解斜視図である。
【発明を実施するための形態】
【００１７】
以下、図面を参照しながら、本発明の実施形態を説明する。以下の実施形態は、本発明の好適な具体例であって、種々の好ましい技術を開示しているが、本発明の技術的範囲はこれらの態様に限定されるものではない。
【００１８】
＜第１の実施形態＞
図１は、本発明の一実施形態に係る情報端末装置１００の設置状態を示す説明図である。
【００１９】
本実施形態の情報端末装置１００は、オフィス等の出入口のドア１の近傍の壁面２に設置されており、元々はその近傍用の照明装置３の切り替えスイッチの設置されていた場所に設置されている。壁面２には壁面開口２ａが加工され、壁面２の内部には電灯配線４、ＬＡＮ（Local Area Network）配線５、電源配線９等が通線されている。照明装置３は天井６に埋め込み設置されており、天井６には天井裏の配線メンテナンス作業等が可能なように点検口が開口していて、通常はその開口部を点検口扉７で塞いでいる。また天井裏にはルーター８などの機器が配置されている。
【００２０】
［情報端末装置の構成］
図２は、情報端末装置１００の電気ブロック図である。図３は、情報端末装置１００の要部の分解斜視図である。図４は、情報端末装置１００の壁面への設置方法を説明する要部の分解側面図である。
【００２１】
情報端末装置１００は、端末本体１０と、端末本体１０を支持するベース部材２０とを備える（図３，４参照）。
【００２２】
本実施形態において端末本体１０は、壁面２に埋め込まれたスイッチボックスＳｂ内の電源配線９と電気的に接続可能に構成される。端末本体１０は、後述するように、利用者の出退勤時刻を記録することが可能な就業管理機能を有する管理装置であり、所謂タイムレコーダである。
【００２３】
端末本体１０は、操作入力部１０１及び表示部１０２を兼ねたタッチパネル１０３と、非接触カードリーダ／ライタ１０４と、これらが正面に配置された直方体形状の筐体１１５とを有する。
【００２４】
表示部１０２は、液晶素子及びバックライトを含むが、これに代えて有機ＥＬ（Electro Luminescence）素子等で構成されてもよい。表示部１０２は、現在時刻、打刻キー、照明操作のための各種キー等を表示する。
【００２５】
非接触カードリーダ／ライタ１０４は、情報読取部として機能し、利用者の保有する図示しない非接触カードから情報を読み取り、あるいは、当該非接触カードへ情報を書き込むことが可能に構成される。非接触カードリーダ／ライタ１０４に代えて又は加えて、磁気カードリーダ／ライタ、あるいは、指紋センサ等の生体情報読取部が採用されてもよい。
【００２６】
端末本体１０はさらに、赤外線センサ１０５とスピーカ１０６とを有し、赤外線センサ１０５によって近隣への人の到来を感知し、スピーカ１０６で音声案内をすることが可能に構成される。赤外線センサ１０５は、図３に示すように筐体１１５の正面に配置され、スピーカ１０６は、筐体１１５の表面あるいは内部の適宜の位置に配置される。
【００２７】
端末本体１０はさらに、通信部１０７、メモリ１０８、ＣＰＵ（Central Processing Unit）１０９、電源部１１１、リレー駆動部１１２を有する。これらは筐体１１５の内部に配置され、インターフェイス１１０を介して電気的に接続される。
【００２８】
通信部１０７は、ＬＡＮ配線４に接続されたルーター８を介して外部の機器類と情報通信を行うことができる。メモリ１０８はＲＯＭ（Read Only Memory）、ＲＡＭ（Random Access Memory）などのストレージデバイスである。
【００２９】
ＣＰＵ１０９は、メモリ１０８に予め記録されたプログラムを実行することで、端末本体１０の各部の動作を制御する制御部として機能する。例えば、ＣＰＵ１０９は、後述するように、非接触カードリーダ／ライタ１０４から読み出された入力情報（カード情報）に基づいて、カード保有者が最初の出勤者あるいは最後の退勤者である等の所定の条件を満たす場合に、リレー駆動部１１２を切り替えることが可能に構成される。
【００３０】
電源部１１１は、電源配線９を介して商用電源に接続される。電源部１１１は、商用交流電源を直流電源に変換する。
【００３１】
リレー駆動部１１２は、スイッチボックスＳｂ内の配線部材を介して電気的に接続される電気器具への給電及びその遮断を切り替えるスイッチ部として機能する。本実施形態においてリレー駆動部１１２は、後述するように、ＣＰＵ１０９からの指令を受けて、電灯配線４を介して接続される照明装置３の点灯及び消灯を切り替えることが可能に構成される。端末本体１０の背面は、リレー駆動部１１２の少なくとも一部が突出しているが、それ以外は概ねフラットに構成されている（図４参照）。
【００３２】
ベース部材２０は、図３及び図４に示すように、端末本体１０の背面を支持し、スイッチボックスＳｂに取り付け可能に構成される。
【００３３】
スイッチボックスＳｂとしては、典型的には、既設のものが利用される。すなわち、スイッチボックスＳｂは、照明装置３の点灯及び消灯を切り替えるスイッチ部品を取り付けるためにあらかじめ壁面２の内部に埋め込まれたものである。したがって、新たにスイッチボックスＳｂに相当する部材を壁面２に埋め込む必要がないため、壁面２の加工が不要となる。
【００３４】
ベース部材２０は、端末本体１０よりも幅狭で端末本体１０と同等の長さのプレート部２１と、プレート部２１の一端（図３，４において下端）に正面方向に向けて立上げ形成された台座部２２とを有し、全体的に概ねＬ字型に形成される。ベース部材２０は、例えば、金属材料あるいはプラスチック材料で構成される。ベース部材２０が板状に形成されるため、情報端末装置１００の薄型化が図られ、これにより情報端末装置１００の壁面２からの突出量を抑えることができる。
【００３５】
プレート部２１は、スイッチボックスＳｂに対向する第１の主面２１１と、端末本体１０の背面に対向する第２の主面２１２と、第１の主面２１１と第２の主面２１２との間を貫通するベース開口部２１ａとを有する。
【００３６】
ベース開口部２１ａは、プレート部２１の中央部のやや上方寄りに形成された矩形の貫通孔で構成されるが、形状はこれに限られず、円形、楕円形その他の形状であってもよい。ベース開口部２１ａの大きさも特に限定されず、端末本体１０の背面から突出するリレー駆動部１１２やスイッチボックス内の各種配線部材（電灯配線４、ＬＡＮ配線５、電源配線９）が挿通可能な大きさに形成される。
【００３７】
プレート部２１にはさらに、ベース部材２０をスイッチボックスＳｂに固定するためのネジ部材Ｎ１が挿通される複数の挿通孔ｈ１が設けられている。ネジ挿通孔ｈ１は、スイッチボックスＳｂの開口端部の上部及び下部にそれぞれ設けられたネジ孔Ｓｈ１にそれぞれ対向する位置に形成され、本実施形態では、ベース開口部２１ａを挟んで上下方向に対向する位置にそれぞれ設けられている。
【００３８】
台座部２２は、端末本体１０の下端部を支持することが可能に構成される。台座部２２の適宜の位置には、端末本体１０を台座部２２に固定するネジ部材Ｎ２が挿通される挿通孔ｈ２が設けられている。
【００３９】
図示せずとも、端末本体１０の背面上部には、プレート部２１の上端部に係合可能な適宜の形状のフック部が設けられる。これにより端末本体１０をベース部材２０へ安定に固定することができる。上記フック部は、プレート部２１の第２の主面２１２側に設けられてもよい。さらに、ネジ部材Ｎ２には、通常のプラスネジでなく、特殊ドライバーでのみ回旋可能な特殊ネジが採用されてもよい。これにより、容易に端末本体１０を壁面から取り外すことができなくなる。
【００４０】
情報端末装置１００の設置手順としては、壁面２に埋め込まれたスイッチボックスＳｂにベース部材２０を固定し、ベース開口部２１ａを介してスイッチボックスＳｂ内の各種配線部材（電灯配線４、ＬＡＮ配線５、電源配線９）を端末本体１０に電気的に接続する。そして、端末本体１０をベース部材２０に固定することで、情報端末装置１００が壁面２に設置される。
【００４１】
ベース部材２０は、壁面開口部２ａを被覆できる大きさのものであれば特に限定されず、本実施形態では壁面開口部２ａよりも垂直方向に長手の板材で構成される。これにより、壁面開口部２ａの大きさに依存せずに、所望とする大きさの端末本体１０を壁面２へ設置することができる。
【００４２】
本実施形態において、台座部２２を除くベース部材２０の各部は、端末本体１０の周囲から外方へ突出しない大きさに形成される。これにより、情報端末装置１００を壁面２へ設置した状態において、ベース部材２０の外部への露出を防ぐことができる。また、端末本体１０の背面に、ベース部材２０の厚みを吸収する凹部１１６（図３参照）を設けることで、壁面２からの端末本体１０の突出量を最小限に抑えることが可能となる。
【００４３】
図４に示すように、情報端末装置１００の壁面２への取り付け状態では、リレー駆動部１１２の突出部は、ベース開口部２１ａを通してスイッチボックスＳｂの内部に収容される。スイッチボックスＳｂ内には、上側の配管Ｓｃ１から電灯配線４とＬＡＮ配線５が引き回され、下側の配管Ｓｃ２からは電源配線９が引き回されている。端末本体１０をベース部材２０に取付ける前に、これらの配線を端末本体１０の背面部に接続しておき、前述の通り端末本体１０をスイッチボックスＳｂに固定されたベース部材２０に取付けることで、情報端末装置１００を壁面２に密着させて設置することができる。なお、電源配線９は、上側の配管Ｓｃ１から引き回されてもよい。
【００４４】
図５は、情報端末装置１００の画面表示の説明図である。
本実施形態の情報端末装置１００は、上述のように、利用者の出勤、退勤等を管理する就業管理装置、即ちタイムレコーダとして構成される。表示部１０２には、現在時刻が表示され、表示部１０２下端に沿って、左から「出」、「外」、「戻」及び「退」の４つの打刻キー１０１ａが並設され、図では「出」のみ反転表示されている。これは現在時刻が通常シフト勤務での出勤時間帯に該当するので、デフォルト設定で「出」の打刻キー１０１ａが押下されたと同じ状態となっている。
【００４５】
なお、「出」は出勤、「外」は外出、「戻」は外出からの戻り、「退」は退勤の際に選択するキーであり、押下すると表示が反転して、その打刻モードに設定される。また、右上には照明キー１０１ｂが表示され、その下に設定キー１０１ｃが表示されている。これらは、通常はいずれも反転表示はされていない。設定キー１０１ｃは、就業管理端末装置としての設定を変更する画面に移行するためのキーである。照明キー１０１ｂについては後述する。
【００４６】
［情報端末装置の動作］
図６は、情報端末装置１００の典型的な動作を説明するフローチャートである。以下の各処理では、ＣＰＵ１０９が主体となって端末本体１０の各部の動作を制御する。
【００４７】
ステップＳ１で、赤外線センサ１０５によって常に人体検知の有無を監視し、検知しなければＮＯを繰り返し、検知した場合は、ＹＥＳとなってステップＳ２に移行し、表示部１０２のバックライトが点灯する。ステップＳ３で、操作入力部１０１（タッチパネル１０３）への操作入力の有無を監視する。
【００４８】
例えば、前述の「出」、「外」等の打刻キー１０１ａが押下された場合は、ステップＳ４に移行して、押下された打刻モードに変更されて、ステップＳ３に戻る。打刻キー１０１ａが押下されなければ、打刻モードは表示部１０２上で反転表示されたモードを維持している（図５の例では「出」）。
【００４９】
その状態で、非接触カードリーダ／ライタ１０４で利用者の保有するＩＣカードを読み取ると、ステップＳ５がＹＥＳとなってステップＳ７に移行するが、読み取らない場合はＮＯとなってステップＳ６に移行して、人体検知がＯＦＦかどうかを判断し、ＯＦＦでなければＮＯとなってステップＳ３からの動作を繰り返す。ステップＳ６で人体感知がＯＦＦの場合には、ＹＥＳとなってステップＳ１４に移行して、バックライトを消灯し、処理が終了する。
【００５０】
ステップＳ７では、その時点での打刻モードに応じた打刻処理が実行される。打刻処理とは、利用者のＩＣカードのメモリに記録されたＩＤを読み取って、ＩＤ毎の社員番号と紐付けて現在時刻のデータを情報端末装置１００のメモリ１０８に記録し、さらに通信部１０７からＬＡＮ配線５を介して、図示しない外部のサーバ装置に当該データを送信することである。メモリ１０８に記録したデータはバックアップとして一定時間記録された後に順次消去される。なお、通信部１０７を持たないスタンドアローンの構成での利用に際しては、メモリ１０８に記録されたデータは別途管理者等による強制消去の操作が行われない限り、消去されない。
【００５１】
また、ステップＳ５でＩＣカードが読み取りされず、ステップＳ６で人体検知がＯＦＦでない状態で、ステップＳ３で前述の照明キー１０１ｂが押下された場合は、ステップＳ８に移行し、照明装置３のＯＮ（点灯）／ＯＦＦ（消灯）の切り替え動作が実行される。照明装置３のＯＮ／ＯＦＦの切り替え動作はトグル動作であり、ＯＮ状態であればＯＦＦに切り替えられ、ＯＦＦ状態であればＯＮに切り替えられる。切り替えが実行された後は、またステップＳ３に移行する。
【００５２】
ステップＳ７の打刻処理が終わるとステップＳ９に移行し、その時点の打刻モードが出勤であればステップＳ１０に移行し、打刻モードが退勤の場合はステップＳ１２に移行し、それ以外はＡのルートを辿る。ステップＳ１０では、最初の出勤者かどうかが判断される。最初の出勤者からどうかは、例えば、メモリ１０８に記録された利用者の出勤の打刻データが、日付が変わってから初めての打刻かどうかで判断できる。なお、日付切り替えの時間帯を設定し、例えば朝５時以後の出勤打刻を判断してもよい。また、退勤でない出勤者のデータが１であれば最初の出勤者と判断してもよい。
【００５３】
ステップＳ１０で最初の出勤者であればＹＥＳとなってステップＳ１１に移行し、照明ＯＮの動作を出力する。これは、照明ＯＦＦであればＯＮだが、照明がＯＮであればＯＮが継続される。その後、図中Ａのルートを辿る。
【００５４】
一方、ステップＳ９でその時点の打刻モードが退勤であれば、ステップＳ１２で最後の退勤者かどうかが判断される。最後の退勤者かどうかは、例えば、メモリ１０８に記録された利用者の出勤の打刻データに総て退勤のステータスが記録されていることで判断される。
【００５５】
ステップＳ１２で最後の退勤者であればＹＥＳとなってステップＳ１３に移行し、Ｎ分後照明ＯＦＦのタイマーセットがされた後、図中Ａのルートを辿る。Ｎ分は、１分から３分程度であればよい。なお、照明ＯＦＦ動作の際に人体検知ＯＮであれば照明ＯＦＦしない、というプログラムも有効である。若しくは、人体検知ＯＦＦからＮ分後に照明ＯＦＦ、といったプログラムであれば、退勤した利用者がその周辺で某か落し物の捜索などをしている場合に、不意に照明がＯＦＦとなってしまうことが防止できる。
【００５６】
以上のように、本実施形態においては、従来の壁面埋め込みスイッチの機能を情報端末装置１００に代替させたうえで、さらに打刻状態との連携やタイマーセットや人体検知状態での動作変更など、従来は単なる照明スイッチと情報端末装置の機能が個々に実行されるだけであったものが、これらを連携させることでより利便性を向上させることができる。
【００５７】
さらに、情報端末装置１００の壁面への設置や使用中止に際しての撤去作業も容易に行うことができるとともに、退去時等の壁面埋め込みスイッチの機能のみの運用への原状回復処理も容易に行うことができる。これにより、この種の情報端末装置１００の導入あるいは利用の促進を図ることができる。なお、壁面埋め込みスイッチの機能は照明用途に限らず、例えば換気扇のＯＮ／ＯＦＦスイッチ、ブラインドの開閉スイッチ等であっても良い。
【００５８】
＜第２の実施形態＞
図７は、本発明の他の実施形態に係る情報端末装置２００の壁面への設置状態を示す外観斜視図である。図８は、情報端末装置２００の電気ブロック図である。図９は、情報端末装置２００の要部の分解斜視図である。
以下、第１の実施形態と異なる構成について主に説明し、第１の実施形態と同様の構成については同様の符号を付しその説明を省略または簡略化する。
【００５９】
本実施形態の情報端末装置２００は、第１の実施形態と同様に、壁面２に埋め込まれたスイッチボックスＳｂ内の配線部材（電源配線９）と電気的に接続可能に構成された端末本体３０と、スイッチボックスＳｂに取り付け可能に構成され、端末本体３０を支持するベース部材４０とを備える。
【００６０】
端末本体３０は、図８に示すように、通信部が無線通信部２０７で構成されていることと、リレー駆動部を有していない点で、第１の実施形態と異なる。無線通信部２０７は、無線でルーター８（図１参照）と電気的に接続されている。
なお、端末本体３０は、無線通信部２０７を有していないスタンドアローン型で構成されてもよい。
【００６１】
ベース部材４０は、例えば、金属材料あるいはプラスチック材料で構成される。ベース部材４０は、端末本体３０よりも幅狭で、端末本体３０及びスイッチボックスＳｂよりも縦長の板状部材であり、図９に示すように、プレート部４１と、台座部４２と、化粧パネル部４３とを有する。第１の実施形態と同様に、プレート部４１には、ベース開口部４１ａと、スイッチボックスＳｂとの固定用のネジの挿通孔ｈ１が設けられ、台座部４２には、端末本体３０との固定用のネジの挿通孔ｈ２が設けられる。
【００６２】
化粧パネル部４３は、プレート部４１の上端部に隣接して設けられる。化粧パネル部４３には、スイッチ本体６０が挿通可能なスイッチ開口部４３ａと、スイッチボックスＳｂとの固定用のネジの挿通孔ｈ１が設けられる。化粧パネル部４３は、プレート部４１よりも厚く形成され、端末本体３０への組付け時に、端末本体３０の周囲（本実施形態では端末本体３０の上部）に配置される。
【００６３】
スイッチ本体６０は、典型的には、予め壁面に取り付けられていた既存のスイッチ部品であり、金属製の取付け枠５０を介してスイッチボックスＳｂに接続される。スイッチ本体６０は、スイッチボックスＳｂ内の電灯配線４に接続され、照明装置３の点灯及び消灯を切り替え可能に構成される。
【００６４】
取付け枠５０は、スイッチボックスＳｂとベース部材４０との間に配置され、ベース部材４０の挿通孔ｈ１に各々整列するネジ挿通孔５０ｈに挿通される複数のネジ部材Ｎ１（図４参照）を介してスイッチボックスＳｂに固定される。
【００６５】
取付け枠５０には、上下３段のスイッチ本体のための取り付けスペースを形成する開口部５０ａが設けられている。スイッチ本体６０は、そのうちの最も上部の取り付けスペースに装着されており、開口部５０ａの中央部及び下部は、ベース開口部４１ａと対向している。
【００６６】
そして、電源配線９をスイッチボックスＳｂから引き出し、取付け枠５０の開口部５０ａ及びベース開口部４１ａを通して端末本体３０の背面に接続したうえで、端末本体３０をベース部材４０に装着すれば、図７の状態となる。スイッチ本体６０のスイッチハンドルは、化粧パネル部４３の前面に突出し、スイッチを操作することが可能となる。なお、例示のスイッチハンドルはピアノハンドルタイプであるが、ワイドハンドルタイプであってもよい。
【００６７】
以上のように本実施形態によれば、従来の壁面埋め込み型スイッチの機能はそのままに、情報端末装置２００をスイッチ本体６０の取り付のための壁面開口部２ａに装着することができる。
【００６８】
また本実施形態によれば、スイッチ本体６０のための電灯配線４の配管ルートを用いて電源配線９の通線作業を容易に引き出すことができるので、配線工事も容易となる。この場合、端末本体３０は既存の形状、電気構成のままであるため、ベース部材４０のみ化粧パネル部４３を一体化した構成であればよい。
【００６９】
化粧パネル部４３は端末本体３０の筐体１１５に一体的に形成したり、化粧パネル部のみ単独で端末本体あるいはベース部材に取り付けたりしてもよい。いずれにせよ、本実施形態の構成であれば、従来の情報端末装置を変更することなく、容易に壁面埋め込みスイッチとの併設が可能となる。なお、壁面埋め込みスイッチは、１つのみでなく、２連スイッチであっても、３段目の開口スペースのみから、情報端末装置の電源配線を引き出してもよい。
【００７０】
［変形例］
以上の実施形態では、情報端末装置は、利用者の就業管理をおこなうタイムレコーダとして構成されたが、これに限られず、例えばドアロック制御用のアクセス端末や、他のリモコン端末であってもよい。この場合においても、上述と同様に壁面設置を容易におこなうことができる。
【００７１】
また、本発明は、請求の範囲及び明細書全体から読み取ることのできる発明の要旨又は思想に反しない範囲で適宜変更可能であり、そのような変更を伴う情報端末装置もまた本発明の技術思想に含まれる。
【産業上の利用可能性】
【００７２】
本発明の技術は、出退勤管理、入室管理のための情報端末装置のほか、壁面に取り付けて利用される遠隔操作端末等、あらゆる端末装置にも利用できる。
【符号の説明】
【００７３】
２…壁面
３…照明装置
４…電灯配線
５…ＬＡＮ配線
９…電源配線
１０，３０…端末本体
２０，４０…ベース部材
２１，４１…プレート部
２１ａ，４１ａ…ベース開口部
２２，４２…台座部
４３…化粧パネル部
４３ａ…スイッチ開口部
６０…スイッチ本体
１００，２００…情報端末装置
１０１…操作入力部
１０２…表示部
１０４…非接触カードリーダ／ライタ
１０５…赤外線センサ
１０７…通信部
１１２…リレー駆動部
１１５…筐体
２０７…無線通信部
Ｓｂ…スイッチボックス
【図１】
2019101459.tif 000003
【図２】
2019101459.tif 000004
【図３】
2019101459.tif 000005
【図４】
2019101459.tif 000006
【図５】
2019101459.tif 000007
【図６】
2019101459.tif 000008
【図７】
2019101459.tif 000009
【図８】
2019101459.tif 000010
【図９】
2019101459.tif 000011